(57)【要約】【課題】動風圧試験装置において、異なる大きさの太陽光発電システム等の試験を行うことのできる圧力チャンバーを提案する。【解決手段】上面が開放され、底部と周囲４方向の壁面11,12,13,14で囲繞された平面視四角形状を有する。隣り合う２方向の壁面が固定壁面11,12を成し、他の２方向の壁面がそれぞれ対向する固定壁面11,12に向って平行移動する移動壁面13,14から成る。試験体Tの２方向の側縁部を前記固定壁面11,12に当接させて配置し、この試験体Tの他の２方向の側縁部に当接させるように、前記他の２方向の移動壁面13,14を対向する２方向の固定壁面11,12に向って平行移動させて試験体Tの他の２方向の側縁部に当接させる。その後試験体Tの４方向の側縁部と前記固定壁面11,12及び移動壁面13,14との当接部を漏気防止して耐風圧試験を行うことができる。【選択図】図１
2019086428.tif 000002
【特許請求の範囲】
【請求項１】
試験体の耐風圧性能を試験する動風圧試験装置における圧力チャンバーであって、
この圧力チャンバーは、上面が開放され、縦横の桟部材から成る底部と周囲４方向の壁面で囲繞された平面視四角形状を有しており、
この圧力チャンバーは、上記平面視四角形の隣り合う２方向の壁面が固定的に設けられて固定壁面を有し、他の２方向の壁面がそれぞれ対向する固定壁面に向って平行移動することができる移動壁面を有し、
前記試験体も平面視四角形状を有し、その２方向の側縁部を前記圧力チャンバーの固定壁面に当接させて配置固定し、この試験体の他の２方向の側縁部に当接させるように、前記他の２方向の移動壁面を対向する２方向の固定壁面に向って平行移動させて前記試験体の他の２方向の側縁部に当接させることができ、
前記圧力チャンバーに設けられる送風口は前記試験体の下方又は裏面側に配置し、試験体の下方又は裏面から風圧を載荷することができ、
前記試験体の４方向の側縁部と前記固定壁面及び移動壁面との当接部を漏気防止して耐風圧試験を行うことができることを特徴とする動風圧試験装置の圧力チャンバー。
【請求項２】
前記圧力チャンバーの２方向の移動壁面は、それぞれ所定サイズの四辺形の壁パネルを上下方向及び水平方向に配列して複数の支柱に固定し、所定高さと所定幅に変更して前記試験体の側縁部に当接することができることを特徴とする請求項１に記載の動風圧試験装置の圧力チャンバー。
【請求項３】
前記圧力チャンバーの２方向の固定壁面も、それぞれ所定サイズの四辺形の壁パネルを縦方向及び水平方向に配列して複数の支柱に固定し所定高さと所定幅に設定できることを特徴とする請求項１又は２に記載の動風圧試験装置の圧力チャンバー。
【請求項４】
前記壁パネルは、略四辺形の鋼製フレームと表面側の一方の面に固定された木材製合板とからなり、裏面側略中央部には横方向に鋼製の補強フレームが掛け渡されていることを特徴とする請求項２又は３に記載の動風圧試験装置の圧力チャンバー。
【請求項５】
前記壁パネルの各辺の側縁部の全体に風止め漏気防止材を設けたことを特徴とする請求項２乃至４の何れか１項に記載の動風圧試験装置の圧力チャンバー。
【請求項６】
前記壁パネルの木材製合板を適宜厚板のものから構成し、その表面側には風止め用の塞ぎ板を所望の位置に取り付けできるようにしたことを特徴とする請求項２乃至５の何れか１項に記載の動風圧試験装置の圧力チャンバー。
【請求項７】
前記試験体が、複数の金属製枠体によって構築された架台上に固定された１又は複数の太陽電池モジュールから成る太陽光発電システムであることを特徴とする請求項１乃至６の何れか１項に記載の動風圧試験装置の圧力チャンバー。
【請求項８】
前記圧力チャンバーの送風口に接続される動風圧送風装置が、正圧、負圧、静圧又は脈動圧を載荷できることを特徴とする請求項１乃至７の何れか１項に記載の動風圧試験装置の圧力チャンバー。
【請求項９】
試験体の耐風圧性能を試験する動風圧試験装置の圧力チャンバー内に試験体を配設固定する方法であって、
この圧力チャンバーは、上面が開放され、縦横の桟部材から成る底部と周囲４方向の壁面で囲繞された平面視四角形状を有しており、
この圧力チャンバーは、上記平面視四角形の隣り合う２方向の壁面が固定的に設けられて固定壁面を有し、他の２方向の壁面がそれぞれ対向する固定壁面に向って平行移動することができる移動壁面を有し、
平面視略四角形状の試験体の隣り合う２つの側縁部を前記圧力チャンバーの上記２つの固定壁面に当接させて配置固定し、
その後、この試験体の他の２方向の側縁部に前記他の２方向の移動壁面を対向する固定壁面に向かって平行移動させて前記試験体の他の２方向の側縁部に当接させ、
その後、前記試験体の４方向の側縁部と前記固定壁面及び移動壁面との当接部の漏気防止を行い、
その後、前記試験体の下方又は裏面側から風圧を載荷することにより試験体の耐風圧試験を行うことができる動風圧試験装置の圧力チャンバー内への試験体の配設固定方法。
【請求項１０】
前記圧力チャンバーの２方向の移動壁面は、それぞれ所定サイズの四辺形の壁パネルを上下方向及び水平方向に配列して形成され、所定高さと所定幅に変更して前記試験体の側縁部に当接することができることを特徴とする請求項９に記載の動風圧試験装置の圧力チャンバー内への試験体の配設固定方法。
【請求項１１】
前記圧力チャンバー内への風圧の載荷が、正圧、負圧、静圧又は脈動圧の風圧であることを特徴とする請求項９又は１０に記載の動風圧試験装置の圧力チャンバー内への試験体の配設固定方法。
【発明の詳細な説明】
【技術分野】
【０００１】
本発明は、例えば複数の太陽電池モジュールを架台上に設置して構築した太陽光発電システム等の試験体を圧力チャンバー内に配設固定して耐風圧性能試験を行う動風圧試験装置における前記圧力チャンバーに関するものであって、試験体としては前記太陽光発電システムに限られず、建材やサッシ或いは屋根等の他の各種物品の耐風圧試験を行うことができるものに関する。
また、本発明においては、上記圧力チャンバー内への試験体の配設固定方法に関するものである。
【背景技術】
【０００２】
従来この種の動風圧試験を行うための試験装置としては、建築物の壁や窓等の試験のためのものが知られている。
その一例として、下記特許文献１に記載のものを挙げることができる。
【０００３】
下記特許文献１に記載の建物側壁の動風圧試験装置においては、静的風荷重に加えて、風速をもった動風圧を付与して自然現象に近い状態で試験を行えるようにすることを課題としている。
【０００４】
その構成は、供試体（試験体）を装着した圧力チャンバーに静的風荷重を与えるための圧力調節可能な風荷重載荷装置と、これに加えて前記圧力チャンバー内の供試体の任意の場所に任意の角度で、フレキシブル風管の先端の吹出口から、前記圧力チャンバーとは別系統のブロワーにより動風圧を付与できるようにしたものである。
【先行技術文献】
【特許文献】
【０００５】
【特許文献１】特開平８−２３３６９７号公報
【発明の概要】
【発明が解決しようとする課題】
【０００６】
本発明においては、試験体（供試体）として太陽光発電システム、建材やサッシ、或いは屋根等の耐風圧試験を行うための動風圧試験装置の圧力チャンバーの改良及びその圧力チャンバー内への試験体の配設固定方法を提案することをその課題としている。
【０００７】
例えば、上記太陽光発電システムにおいては、多数の太陽電池モジュールを平面視縦横に配列してこれらを架台の上に固定設置したものから成り、その縦横の大きさは大小異なるものとなる。本発明においては、このように平面視縦横に異なるサイズの太陽光発電システム等の動風圧試験に際しても、一つの試験装置で対応できるようにすることがその課題である。
【０００８】
上記課題を解決するためには、試験装置の圧力チャンバーの大きさを変更できる構造としなければならず、そのための対応手段を講ずることが本発明の課題となる。
更には、この圧力チャンバー内に配置固定される試験体と前記圧力チャンバーとの気密性を保持するための手段についても考慮することもその課題となる。
【課題を解決するための手段】
【０００９】
上記課題を解決するために、本発明の第１のものは、試験体の耐風圧性能を試験する動風圧試験装置における圧力チャンバーであって、この圧力チャンバーは、上面が開放され、縦横の桟部材から成る底部と周囲４方向の壁面で囲繞された平面視四角形状を有しており、この圧力チャンバーは、上記平面視四角形の隣り合う２方向の壁面が固定的に設けられて固定壁面を有し、他の２方向の壁面がそれぞれ対向する固定壁面に向って平行移動することができる移動壁面を有し、前記試験体も平面視四角形状を有し、その２方向の側縁部を前記圧力チャンバーの固定壁面に当接させて配置固定し、この試験体の他の２方向の側縁部に当接させるように、前記他の２方向の移動壁面を対向する２方向の固定壁面に向って平行移動させて前記試験体の他の２方向の側縁部に当接させることができ、前記圧力チャンバーに設けられる送風口は前記試験体の下方又は裏面側に配置し、試験体の下方又は裏面から風圧を載荷することができ、前記試験体の４方向の側縁部と前記固定壁面及び移動壁面との当接部を漏気防止して耐風圧試験を行うことができることを特徴とする動風圧試験装置の圧力チャンバーである。
【００１０】
本発明の第２のものは、上記第１の発明において、前記圧力チャンバーの２方向の移動壁面は、それぞれ所定サイズの四辺形の壁パネルを上下方向及び水平方向に配列して複数の支柱に固定し、所定高さと所定幅に変更して前記試験体の側縁部に当接することができることを特徴とする動風圧試験装置の圧力チャンバーである。
【００１１】
本発明の第３のものは、上記第１又は２の発明において、前記圧力チャンバーの２方向の固定壁面も、それぞれ所定サイズの四辺形の壁パネルを縦方向及び水平方向に配列して複数の支柱に固定し所定高さと所定幅に設定できることを特徴とする動風圧試験装置の圧力チャンバーである。
【００１２】
本発明の第４のものは、上記第２又は第３の発明において、前記壁パネルは、略四辺形の鋼製フレームと表面側の一方の面に固定された木材製合板とからなり、裏面側略中央部には横方向に鋼製の補強フレームが掛け渡されていることを特徴とする動風圧試験装置の圧力チャンバーである。
【００１３】
本発明の第５のものは、上記第１乃至第４の何れかの発明において、前記壁パネルの各辺の側縁部の全体に風止め漏気防止材を設けたことを特徴とする動風圧試験装置の圧力チャンバーである。
【００１４】
本発明の第６のものは、上記第２乃至第５の発明において、前記壁パネルの木材製合板を適宜厚板のものから構成し、その表面側には風止め用の塞ぎ板を所望の位置に取り付けできるようにしたことを特徴とする動風圧試験装置の圧力チャンバーである。
【００１５】
本発明の第７のものは、上記第１乃至第６の発明において、前記試験体が、複数の金属製枠体によって構築された架台上に固定された１又は複数の太陽電池モジュールから成る太陽光発電システムであることを特徴とする動風圧試験装置の圧力チャンバーである。
【００１６】
本発明の第８のものは、上記何れかの発明において、前記圧力チャンバーの送風口に接続される動風圧送風装置が、正圧、負圧、静圧又は脈動圧を載荷できることを特徴とする動風圧試験装置の圧力チャンバーである。
【００１７】
本発明の第９のものは、試験体の耐風圧性能を試験する動風圧試験装置の圧力チャンバー内に試験体を配設固定する方法であって、この圧力チャンバーは、上面が開放され、縦横の桟部材から成る底部と周囲４方向の壁面で囲繞された平面視四角形状を有しており、この圧力チャンバーは、上記平面視四角形の隣り合う２方向の壁面が固定的に設けられて固定壁面を有し、他の２方向の壁面がそれぞれ対向する固定壁面に向って平行移動することができる移動壁面を有し、平面視略四角形状の試験体の隣り合う２つの側縁部を前記圧力チャンバーの上記２つの固定壁面に当接させて配置固定し、その後、この試験体の他の２方向の側縁部に前記他の２方向の移動壁面を対向する固定壁面に向かって平行移動させて前記試験体の他の２方向の側縁部に当接させ、その後、前記試験体の４方向の側縁部と前記固定壁面及び移動壁面との当接部の漏気防止を行い、その後、前記試験体の下方又は裏面側から風圧を載荷することにより試験体の耐風圧試験を行うことができる動風圧試験装置の圧力チャンバー内への試験体の配設固定方法である。
【００１８】
本発明の第１０のものは、上記第９の発明において、前記圧力チャンバーの２方向の移動壁面は、それぞれ所定サイズの四辺形の壁パネルを上下方向及び水平方向に配列して形成され、所定高さと所定幅に変更して前記試験体の側縁部に当接することができることを特徴とする動風圧試験装置の圧力チャンバー内への試験体の配設固定方法である。
【００１９】
本発明の第１１のものは、上記第９又は第１０の発明において、前記圧力チャンバー内への風圧の載荷が、正圧、負圧、静圧又は脈動圧の風圧であることを特徴とする動風圧試験装置の圧力チャンバー内への試験体の配設固定方法である。
【発明の効果】
【００２０】
本発明の第１のものにおいては、試験体の耐風圧性能を試験する動風圧試験装置における圧力チャンバーであって、この圧力チャンバーは上面が解放され、縦横の桟部材から成る底部と周囲４方向の壁面で囲繞された平面視四角形形状を有し、隣り合う２方向の壁面が固定され、他の２方向の壁面がそれぞれ対向する固定壁面に向かって平行移動する移動壁面を有しているために、試験体の縦横のサイズに適合できるように、上記移動壁面を試験体の対応する２方向の側縁部に移動させて当接させることができる。  
これにより、異なる試験体の縦横サイズに適切に適合させることができることとなる。
【００２１】
本発明の第２のものにおいては、前記圧力チャンバーの２方向の移動壁面は、それぞれ所定サイズの四辺形の壁パネルを上下方向及び水平方向に配列して複数の支柱に固定し、所定高さと所定幅に変更して前記試験体の側縁部に当接することができるようにしたものである。
このように、本発明に係る圧力チャンバーにおいては、所定サイズの壁パネルを用いることにより圧力チャンバーの大きさを適宜変更して、試験体の大きさに適合するように変更することができる。
【００２２】
本発明の第３のものにおいては、前記圧力チャンバーの２方向の固定壁面も、それぞれ所定サイズの四辺形の壁パネルを縦方向及び水平方向に配列して複数の支柱に固定し所定高さと所定幅に設定できるものとした。
これにより、固定壁面に関しても前記同様の壁パネルを用いて形成することができ、従って、この固定壁面の大きさも必要に応じて適宜設定することができることとなる。
【００２３】
本発明の第４のものにおいては、前記壁パネルを限定したものであり、即ち、前記壁パネルは、略四辺形の鋼製フレームと表面側の一方の面に固定された木材製合板とからなり、裏面側略中央部には横方向に鋼製の補強フレームが掛け渡されていることを特徴とするものから成る。
以上の構成により、壁パネルの耐圧性能を保持させたものである。
【００２４】
本発明の第５のものにおいては、前記壁パネルの各辺の側縁部の全体に風止め漏気防止材を設けたことを特定したものであり、壁パネルの外周の縁部に適宜素材から成る風止め漏気防止材を設けて、内部に載荷される風圧の漏れを防止することができる。
【００２５】
本発明の第６のものにおいては、前記壁パネルの木材製合板を適宜厚板のものから構成し、その表面側には風止め用の塞ぎ板を所望の位置に取り付けできるようにしたものである。
【００２６】
本発明の第７のものにおいては、前記試験体として太陽光発電システムに特定し、この太陽光発電システムは、複数の金属製枠体によって構築された架台上に固定された１又は複数の太陽電池モジュールから成るものであり、前記試験体を限定したものである。
このように、本発明においては、太陽光発電システム等の耐風圧試験に最適なものとなる。
【００２７】
本発明の第８のものにおいては、前記圧力チャンバーの送風口に接続される動風圧送風装置が、正圧、負圧、静圧又は脈動圧を載荷できることを特定するものであり、本発明に係る圧力チャンバーにおいては自然界で想定される各種タイプの風圧を載荷して試験することができる圧力チャンバーを提供できるものである。
【００２８】
本発明の第９のものは、前記圧力チャンバー内への試験体の配設固定方法に関するものであって、上記第１の発明と同じ効果を発揮する。
方法発明の特定により、より明確に広範囲の権利範囲を特定し、限定することを目指した。
【００２９】
本発明の第１０のものは、上記の方法発明において、上記第２の発明と同じ効果を発揮するものである。
本発明の第１１のものは、上記の方法発明において、上記第８の発明と同様に負荷する各種異なる風圧にて試験できることを特定したものである。
【図面の簡単な説明】
【００３０】
【図１】本発明の太陽光発電システム用動風圧試験装置の圧力チャンバーに係る一実施形態を示す斜視概念図であって、内部に試験体を設置した状態を示している。
【図２】上記実施形態に係る圧力チャンバーの一部である移動壁面を取り除いた状態の斜視図である。
【図３】上記実施形態に係る圧力チャンバーの斜視図であって、その最大サイズとした状態を示している。
【図４】上記実施形態に係る圧力チャンバーの斜視図であって、試験体が最小サイズの場合を図示したものである。
【図５】上記図４の正面図である。
【図６】上記実施形態に係る圧力チャンバーの移動壁面に使用される壁パネルを示す斜視図である。
【図７】上記実施形態に係る圧力チャンバーの横断面説明図であって、内部に太陽光発電システムを配置して動風圧試験を行える状態を図示している。
【図８】図７の太陽光発電システムの上辺と下辺の当接部を拡大した説明図であって、その（Ａ）が上辺側を示し、その（Ｂ）が下辺側を示す。
【図９】上記実施形態に係る圧力チャンバーを用いた動風圧試験装置の全体ブロック図である。
【発明を実施するための形態】
【００３１】
以下、添付の図面と共に本発明の実施形態につい説明する。
尚、以下の実施形態においては、試験体として太陽光発電システムを用いたが、本発明に係る圧力チャンバーにおいては、それ以外の各種の物品、例えば建材やサッシ、或いは屋根等の動風圧試験を行うことができるものである。
【００３２】
図１は、本発明の太陽光発電システム用動風圧試験装置の圧力チャンバーに係る一実施形態を示す斜視概念図であって、内部に試験体を設置した状態を示している。また、この図では、概略説明を行うために、試験を行う前の状態で、試験体に移動壁面を当接させていない状態を示している。
【００３３】
この実施形態に係る太陽光発電システム用動風圧試験装置（以下単に「試験装置」という。）の圧力チャンバー１０内には試験体として太陽光発電システムＴが設置（配設固定）される。
この太陽光発電システムＴは、縦横に複数配列された太陽電池モジュールＭを架台によって傾斜状に固定設置されたものから成る。
【００３４】
即ち、実際に設置される形態の太陽光発電システムＴをそのまま上記圧力チャンバー１０内に固定設置して動風圧試験を行うことができるものである。
この圧力チャンバー１０は、平面視四角形状（長方形形状）を有し、図中左上の上辺と右上の右辺に固定壁面１１、１２が配置され、これらに対向する右下の下辺と左下の左辺が移動壁面１３、１４となる。
【００３５】
この図１では、底部が太陽光発電システムＴによって隠れているが、この底部は縦横の格子状の枠体（桟部材）によって構成されている。
上記固定壁面１１及び固定壁面１２は、縦方向の支柱と横方向の横桟によってその骨組みが形成され、その内側面に複数の壁パネル２０を貼り付け固定したものから成る。
【００３６】
これらの固定壁面１１、１２は、所定の高さと水平方向長さを有し、固定的に設けられている。
他方、移動壁面１４は、上記固定壁面１２と略平行に配置され、固定壁面１２に向かって平行移動できる。
【００３７】
同様に、移動壁面１３は、上記固定壁面１１と略平行に配置され、固定壁面１１に向かって平行移動できる。
上記移動壁面１３及び移動壁面１４も、支柱と横方向桟により壁パネル２１が縦横複数貼り付け固定されて形成されるが、これら移動壁面１３、１４の側は、その高さ及び水平方向の長さを長短自在に変更することができる。
【００３８】
これは、試験体である太陽光発電システムの縦横のサイズに適合できるようにするためである。
図１では、概念的に圧力チャンバー１０内に太陽光発電システムＴを内部に収めた状態を図示しているが、試験を行う際には、移動壁面１４を図中右上方向に移動させて太陽光発電システムＴの左側側面に当接させ、次に、移動壁面１３を左上方向に移動させて太陽光発電システムＴの下側側面に当接させるのである。
その後、太陽光発電システムＴの４辺の側縁部の漏気防止を行い、動風圧試験が行われるのである。
【００３９】
図２は、上記実施形態に係る圧力チャンバーの一部である移動壁面を取り除いた状態の斜視図である。
即ち、この図から固定壁面１１、１２と底部を見て取ることができる。
【００４０】
固定壁面１１、１２は、上記した通り、それぞれ支柱１５、横桟１６、及び、前後の支柱間に架け渡される補強フレーム１７から格子状に枠体が形成され、その内側に壁パネル２０が縦横に張り付けられ固定される。
これらの壁パネル２０の縦横サイズは適宜自由に設定することができ、より大きなものを採用することによってより少ない枚数で構成することができる。
【００４１】
本発明においては、上記の壁パネル２０を用いることにより、固定壁面１１及び１２の高さ及び水平方向の長さを適宜必要に応じて設定することができる
この点は、移動壁面も同じであるが、壁パネルのサイズは異なる。
固定壁面１１の下方に描かれている丸穴は、送風口３０であり、この実施形態では２個設けて、試験体の下方又は裏面側に位置させている。
即ち、試験体である太陽電池モジュールの裏面から正圧、負圧、静圧又は脈動圧等を載荷することができる態様である。
【００４２】
送風口３０を２個設けたのは、試験体の大きさによって、送風口３０の何れかを適宜選択することができるようにしている。
図中右上上下方向に見えている配管が送風配管３１となり、この配管３１の先端部が上記送風口３０の何れかと連結される。
他方、送風配管３１の基端部は、図示はしていないが、正圧送風機又は負圧送風機と連結される。
【００４３】
圧力チャンバー１０の底部は、図示の通り、縦方向の複数の縦桟４１と、図には表れていない横桟とから格子状に形成される枠体から成る。
横桟は図示していないが、試験体のサイズに適合するように格子状に設けられることとなる。
【００４４】
図３は、上記実施形態に係る圧力チャンバーの斜視図であって、その最大サイズとした状態を示している。
この図においては、試験体である太陽光発電システムを内部に設置していない状態で、その最大の大きさにした状態を示している。
【００４５】
前図２にて固定壁面１１、１２を説明したが、この図３においてもこれら固定壁面１１、１２の構成は同じである。
この図３では、移動壁面１３及び１４について説明する。
これらの移動壁面１３及び１４の構成は同じであるが、壁パネル２１の配設が異なり、その高さと横幅が異なる。
【００４６】
それぞれの移動壁面１３、１４は、その内側に複数の壁パネル２１を貼り付け固定するための縦方向の支柱２５が複数設けられ、それらの上方と下方に横桟２６が架け渡され、それぞれの支柱２５の下端部から外側方向に補強フレーム２７が、そして、補強フレーム２７の端部と支柱の上方部を連絡する斜め補強フレーム２８とから形成され、支柱２５の内側に壁パネル２１が固定される構造である。
壁パネル２１の詳細は、後の図６にて説明する。
【００４７】
図４は、上記実施形態に係る圧力チャンバーの斜視図であって、試験体が最小サイズの場合を図示したものである。
図５は、上記図４の正面図である。
それぞれの固定壁面１１及び１２、並びに、移動壁面１３及び１４の構成は、上記のものと同じである。ただ壁パネル２１の数が異なっている。
【００４８】
この図４及び図５の状態では、１枚の太陽電池モジュールを試験体として動風圧試験を行っている。
したがって、移動壁面１４は、試験体の左側の側縁部に当接され、移動壁面１３は、試験体の下方側縁部に当接されている。
【００４９】
このように、本発明に係る圧力チャンバー１０においては、平面視隣り合う２辺が固定壁面１１及び１２を有し、これに対向する移動壁面１３及び１４がその対向する固定壁面１１及び１２に向かって平行移動できる。
【００５０】
つまり、移動壁面１４を固定壁面１２に向かって移動して試験体の左側縁部に当接させ、移動壁面１３を固定壁面１１に向かって平行移動して試験体の下方側縁部に当接させ、その試験体との気密性を維持するための漏気防止を行い、動風圧試験を行うことができる。
尚、移動壁面１３及び１４の底部は、この圧力チャンバー１０の底部の縦桟４１及び横桟４２に固定される。
【００５１】
ここで、本発明において上記圧力チャンバー内に試験体を配設固定する手順について以下に纏めてみる。
１）上面が開放され、縦横の桟部材から成る底部と周囲４方向の壁面で囲繞された平面視四角形状を有する圧力チャンバーを使用する。
２）この圧力チャンバーは、平面視四角形の隣り合う２方向の壁面が固定的に設けられて固定壁面を有し、他の２方向の壁面がそれぞれ対向する固定壁面に向って平行移動することができる移動壁面を有する。
３）平面視略四角形状の試験体の隣り合う２つの側縁部を前記圧力チャンバーの上記２つの固定壁面に当接させて配置固定する。
４）この試験体の他の２方向の側縁部に前記他の２方向の移動壁面を対向する固定壁面に向かって平行移動させて前記試験体の他の２方向の側縁部に当接させる。
５）上記試験体の４方向の側縁部と前記固定壁面及び移動壁面との当接部の漏気防止を行う。
６）前記試験体の下方又は裏面側から風圧を載荷して試験体の耐風圧試験を行う。
【００５２】
更に、上記圧力チャンバーの２方向の移動壁面は、既に述べた通り、それぞれ所定サイズの四辺形の壁パネルを上下方向及び水平方向に配列して形成され、所定高さと所定幅に変更して前記試験体の側縁部に当接することができる。
【００５３】
同様に、前記圧力チャンバー内への風圧の載荷は、正圧、負圧、静圧又は脈動圧の何れの風圧によっても試験することが可能なものである。
【００５４】
図６は、上記実施形態に係る圧力チャンバーの移動壁面に使用される壁パネルを示す斜視図である。
この図から解る通り、この壁パネル２１は、略長方形形状を有し、鋼製の縦枠２１ｔ、２１ｔと、鋼製の横枠２１ｈ、２１ｈと、同じく鋼製の補強枠２１ｆとから枠体が形成され、その一方の側面に木製の合板２１ｍが貼り付けられ固定されたものから形成されている。
この壁パネル２１を、試験体の大きさに適合するように、移動壁面の支柱及び横桟に螺子等の固定手段により螺着され、縦横に配列され固定されるのである。
【００５５】
図示はしていないが、上記壁パネル２１の各辺の外側縁部に風止め用防止材として、例えばブチルゴムやＥＰＤＭ等の合成樹脂材を貼着しておくこともできる。
これにより、圧力チャンバーにおける壁パネルの組み立て時、ボルト等による締め付け固定において乾式による風等の抜け漏れを防止することができることとなる。
更に、これらの壁パネルの表面には、風止め用の各種材質のシート状体からなる塞ぎ板を貼り付けて漏気防止をより完全なものとすることもできる。
【００５６】
図７は、上記実施形態に係る圧力チャンバーの横断面説明図であって、内部に太陽光発電システムを配置して動風圧試験を行える状態を図示している。
図８は、図７の太陽光発電システムの上辺と下辺の当接部を拡大した説明図であって、その（Ａ）が上辺側を示し、その（Ｂ）が下辺側を示す。
【００５７】
これらの図からは、固定壁面１１及び１２と、移動壁面１３を見て取ることでき、固定壁面１１と移動壁面１３とにより太陽光発電システムＴの上方及び下方側縁部の漏気防止状態を見て取ることができる。  
【００５８】
太陽光発電システムＴは、トラスタイプの架台Ｋの縦桟上に複数の太陽電池モジュールＭが配列され、これらの太陽電池モジュールの上辺及び下辺で、固定壁面１１と移動壁面１３とが当接し、これらの上辺と下辺で気密性を維持するために漏気防止されている。
【００５９】
上記漏気防止構造は、図８に示されているが、その上辺側では、太陽電池モジュールＭの下の架台（縦桟）Ｋの上端部に側面塞ぎ板３３を設け、この側面塞ぎ板３３と壁パネル２０との間を前後塞ぎ板３５が漏気防止している。
他方、その下辺側では、太陽電池モジュールＭの下の架台（縦桟）Ｋの下端部に側面塞ぎ板３４を設け、この側面塞ぎ板３４と壁パネル２１との間を前後塞ぎ板３６が漏気防止している。
【００６０】
その他の隙間に関しては、ビニールシートと粘着テープによって漏気防止することができる。
上記のような太陽光発電システムを試験体とする場合には、負圧試験の際には送風口からエアーを送り込み、正圧試験の際には送風口から内部空間内のエアーを抜き取るように送風装置を接続して試験を行うこととなる。
従って、負圧試験の場合には、ビニールシート等の漏気防止は、太陽電池モジュールの裏面側から漏気防止を行い、逆に正圧試験の場合には、ビニールシート等の漏気防止は、太陽電池モジュールの表面側から漏気防止を行うこととなる。
【００６１】
図９は、上記実施形態に係る圧力チャンバーを用いた動風圧試験装置の全体ブロック図である。
この図に示したブロック図は、本発明に係る圧力チャンバー１０を用いた一例である。
圧力チャンバー１０内には、試験体である太陽光発電システムＴが配置固定される。
【００６２】
正圧送風機又は負圧送風機から配管を通り、圧力制御弁を介して、圧力調整（レクティファイ）タンクを経て、圧力チャンバー１０内に正圧又は負圧の風が供給又は排出される。
このように、本発明に係る圧力チャンバー１０では、試験体Ｔの下方、つまり裏面側から風を送る又は排出する構造となっている。
【００６３】
従って、本発明に係る圧力チャンバー１０によれば、上記太陽光発電システムや、その他の面状物品或いは板状物品、例えば、壁材やサッシ等の面状又は板状の建材や、屋根等の耐風圧試験を行うことができるものである。
【００６４】
以上、本発明の一実施形態について説明したが、本発明においては種々その形態を変更することができる。
圧力チャンバーのサイズは適宜必要に応じて設計変更することができる。
同様に壁パネルのサイズも適宜設計変更することができる。
試験体も太陽光発電システム以外に平面的な面状部材や板状部材等であれば、当該面状部材等を支持する架台に設置固定して試験をすることができる。
勿論、支持架台なしで、圧力チャンバーの上方開口部の縁部に直接固定して試験することもできる。
【００６５】
以上、本発明においては、太陽光発電システム用動風圧試験装置の圧力チャンバー及びこの圧力チャンバー内への試験体の配設固定方法について提案したが、その２方向の固定壁面と他の２方向の移動壁面により、異なる大きさの太陽光発電システム等その他各種の物品の動風圧試験を行うことができるものを提供することができた。
【符号の説明】
【００６６】
１０  圧力チャンバー
１１、１２  固定壁面
１３、１４  移動壁面
１５、２５  支柱
１６、２６  横桟
１７、２７  補強フレーム
２０、２１  壁パネル
２８  斜め補強フレーム
３０  送風口
３１  送風配管
３３、３４  側面塞ぎ板
３５、３６  前後塞ぎ板
４１  縦桟（底部）
４２  横桟（底部）
【図１】
2019086428.tif 000003
【図２】
2019086428.tif 000004
【図３】
2019086428.tif 000005
【図４】
2019086428.tif 000006
【図５】
2019086428.tif 000007
【図６】
2019086428.tif 000008
【図７】
2019086428.tif 000009
【図８】
2019086428.tif 000010
【図９】
2019086428.tif 000011